(57)【要約】【課題】      障子の開閉をスムーズに行うに適した自然換気窓を提供する。【解決手段】  窓枠２に吊支持した障子３と，窓枠２の縦枠２３側に設置したバランサー５１とを連結アーム５３によって連結して障子３の傾斜開放を常態とし且つオペレーター操作によってバランサー５１を上昇して障子３を引寄せ，窓枠２の下枠２２と障子３の下框３２間で連動した施錠を可能とした自然換気窓１を形成する一方，バランサー５１の裏面に上下２箇所のガイドローラー５２２を設置し，このガイドローラー５２２を縦枠２３に設置した断面Ｃ字状のガイドレール５２１によって保持してバランサー５１を縦枠２３に沿って直進昇降自在とする。バランサー５１の揺動が防止されて，障子３の風圧に応じた開閉や施錠との連動をスムーズに行うことができる。【選択図】    図２
2007063901.tif 000002
【特許請求の範囲】
【請求項１】
窓枠の上枠に開閉自在に吊支持した障子と，窓枠の縦枠に上下方向昇降自在に配置したバランサーと，上記障子の縦框と該バランサーの見込面にそれぞれ長手方向端部を回動自在に軸支してこれらの間に配置した連結アームとを備えて上記障子の受ける風圧抵抗に応じて該障子を傾斜開放の常態から閉鎖方向に揺動的に開閉制御自在とした自然換気窓であって，上記縦枠とバランサーの一方にガイドレールを，他方にスライダーを配置するとともに該スライダーをガイドレールに保持した昇降ガイドによってバランサーの直進昇降を自在としてなることを特徴とする自然換気窓。
【請求項２】
上記スライダーを，ガイドレールに転動自在のガイドローラーとし且つ該ガイドローラーを上記ガイドレールに対して上下方向複数配置してなることを特徴とする請求項１に記載の自然換気窓。
【発明の詳細な説明】
【技術分野】
【０００１】
本発明は，窓枠に傾斜開放を常態とする障子を開閉自在に装着することによって窓において室内外の換気をなし得るようにした自然換気窓に関する。
【背景技術】
【０００２】
この種自然換気窓として出願人のうちの一社は，窓枠の上枠に開閉自在に吊支持した障子と，窓枠の縦枠に上下方向昇降自在に配置したバランサーと，上記障子の縦框と該バランサーの見込面にそれぞれ長手方向端部を回動自在に軸支してこれらの間に配置した連結アームとを備えて上記障子の受ける風圧抵抗に応じて該障子を傾斜開放の常態から閉鎖方向に揺動的に開閉制御自在としたものを２件出願済みである。この場合バランサーは，例えばバランサーブラケットと重量調整用のバランサープレートとによって構成し，該バランサーブラケットを縦枠に沿って配置して，その上下中間位置に上記常態の傾斜開放時に障子とバランスする重量に応じて調整した枚数のバランサープレートを固定し，該バランサーブラケットのバランサープレート下位で，例えばアームブラケットを介して上記障子との連結用の連結アームを軸支固定するようにしてある。そして自然換気窓は一般に壁面高所に設置されるために，例えばオペレーター操作によって作動する連動手段を用いてバランサー乃至障子を引寄せた状態で施錠を行うようにする必要があるところ，該障子の引寄せは，上記２件のうち先行する出願の例では，障子の縦框に室内側に向けてラッチを突設し，例えば縦枠上端に設置した滑車装置によってオペレーターに一端を固定して引寄せ自在とした引張ワイヤーを巻上げて昇降ピンを強制上昇させることによって，該昇降ピンで上記ラッチを押上回動して障子を窓枠側に引いて連結アームによって連結したバランサーを縦枠に沿って上昇させながら，引張ワイヤーの中間に設置してラッチの押上回動と連動するように設置した施錠装置を連動して作動させその施錠を行うようにしたものとされる。また２件のうち後続する出願の例では，例えば上記ラッチが露出する外観不良を解消するように，ラッチを設けることなく，例えば滑車装置によって昇降する昇降部材にバランサー側に向けて係合支持部を突設する一方，バランサー，特にバランサーブラケットの上端に昇降部材側に向けて上記係合支持部に対接する被係合部を突設し，上記と同様にオペレーターに一端を固定して引寄せ自在とした引張ワイヤーを巻上げて昇降部材を縦枠に沿って上昇させ，その係合支持部と被係合部の対接係合によりバランサーを直接に強制上昇させ，連結アームを介して障子を窓枠側に引きながら施錠装置を同じく連動して作動させその施錠を行うようにしたものとされる。
【０００３】
【特許文献１】特願２００４−２２８１８７号
【特許文献２】特願２００５−２５３２６３号
【発明の開示】
【発明が解決しようとする課題】
【０００４】
これらの場合，障子の縦框と縦枠に沿って昇降するバランサーの見込面の間に連結アームをそれぞれ回動自在に連結したことによって，バランサーによってバランスして障子は傾斜開放を常態としつつ，例えば数ｍ／ｓｅｃ程度以上の強風時に障子が風圧抵抗を受けて障子が閉鎖方向に回動すると，傾斜開放時に最下端位置に位置するバランサーを連結アームが押し上げることによって風圧抵抗に応じた開閉制御をなし得るものとなるところ，風圧に応じてバランサーは常に昇降する状態に置かれるとともに，日常的に繰り返されるオペレーター操作による施錠時にもバランサーが昇降する状態に置かれることになる。しかし乍らバランサーを縦枠に沿って昇降するようにしても，連結アームの固定位置がバランサーの見込面であり，一般にはその下方位置であるために，連結アームによってバランサーを押し上げようとし，また施錠装置に連動して該バランサーを強制上昇しようとすると，必ずしも縦枠に沿ってスムーズに直進昇降するとは限らず，バランサーが前後に揺動する傾向を生じることがあり，バランサーが揺動すると連結アームの回動が妨害され，スムーズな上昇ができないことによって，風圧抵抗に応じた開閉制御や施錠の連動性が阻害される可能性を生じるし，場合によってはバランサーが縦枠と干渉して擦れ音を発生する可能性を生じて，製品不良の要因となり兼ねない。
【０００５】
本発明はかかる事情に鑑みてなされたもので，その解決課題とするところは，バランサーのスムーズな直進昇降を確実に確保して，バランサーの揺動に伴う問題点を解消して開閉制御や施錠の連動性を簡易且つ確実に確保し得るようにした自然換気窓を提供するにある。
【課題を解決するための手段】
【０００６】
上記課題に沿って本発明は，上記自然換気窓の構成と機能を維持しながら，バランサーと縦枠との間に昇降ガイドとしてガイドレールと該ガイドレールに保持したスライダーを配置して，昇降ガイドによってバランサーの昇降を直進方向に案内することにより，その揺動，即ちバランサーの前後及び左右の揺動を防止し，そのスムーズな直進昇降を可能とし，開閉制御や施錠の連動性を簡易且つ確実に確保し得るようにしたものであって，即ち請求項１に記載の発明を，窓枠の上枠に開閉自在に吊支持した障子と，窓枠の縦枠に上下方向昇降自在に配置したバランサーと，上記障子の縦框と該バランサーの見込面にそれぞれ長手方向端部を回動自在に軸支してこれらの間に配置した連結アームとを備えて上記障子の受ける風圧抵抗に応じて該障子を傾斜開放の常態から閉鎖方向に揺動的に開閉制御自在とした自然換気窓であって，上記縦枠とバランサーの一方にガイドレールを，他方にスライダーを配置するとともに該スライダーをガイドレールに保持した昇降ガイドによってバランサーの直進昇降を自在としてなることを特徴とする自然換気窓としたものである。
【０００７】
請求項２に記載の発明は，上記に加えて，ガイドレールとバランサーの昇降案内に伴う摩擦抵抗を可及的に減少し，バランサーの昇降による障子の開閉を可及的にスムーズになし得るものとするように，これを，上記スライダーガイドレールに転動自在のガイドローラーとし且つ該ガイドローラーを上記ガイドレールに対して上下方向複数配置してなることを特徴とする請求項１に記載の自然換気窓としたものである。
【０００８】
本発明は，これらをそれぞれ発明の要旨として上記課題解決の手段としたものである。
【発明の効果】
【０００９】
本発明は以上のとおりに構成したから，請求項１に記載の発明は，自然換気窓の構成と機能を維持しながら，バランサーと縦枠との間に昇降ガイドとしてガイドレールと該ガイドレールに保持したスライダーを配置し，昇降ガイドによってバランサーの昇降を直進方向に案内することによりその揺動，即ちバランサーの前後及び左右の揺動を防止し，そのスムーズな直進昇降を可能とし，開閉制御や施錠の連動性を簡易且つ確実に確保し得るようにした自然換気窓を提供することができる。
【００１０】
請求項２に記載の発明は，上記に加えて，ガイドレールとバランサーの昇降案内に伴う摩擦抵抗を可及的に減少し，バランサーの昇降による障子の開閉を可及的にスムーズになし得るものとすることができる。
【発明を実施するための最良の形態】
【００１１】
以下図面の例に従って本発明を更に具体的に説明すれば，図中１は，例えば壁面の上方高所に設置した自然換気窓であり，該自然換気窓１は，窓枠２の上枠２１に開閉自在に吊支持した障子３を，例えば無風状態や風速２〜３ｍ／ｓｅｃ程度の微風状態で障子３を傾斜開放の常態とし，風速４〜５ｍ以上の強風状態で障子３が風圧抵抗を受けることによって該障子３を自動的に閉鎖し，強風が治まり風圧抵抗がなくなると再び傾斜開放の常態に復帰することによって自然換気を行うようにしてある。
【００１２】
自然換気窓１は，上記障子３とともに，窓枠２の縦枠２３に上下方向昇降自在に配置したバランサー５１と，上記障子３の縦框３３と該バランサー５１の見込面にそれぞれ長手方向端部を回動自在に軸支してこれらの間に配置した連結アーム５３とを備えて上記障子３の受ける風圧抵抗に応じて該障子３を傾斜開放の常態から閉鎖方向に揺動的に開閉制御自在としたものとしてあり，このとき上記縦枠２３とバランサー５１の一方にガイドレール５２１を，他方にスライダー５２２を配置するとともに該スライダー５２２をガイドレール５２１に保持した昇降ガイド５２によってバランサー５１の直進昇降を自在を自在としてある。
【００１３】
即ち本例の自然換気窓１にあって，上記障子３は，窓枠２の上枠２１と上框３１間に，例えば上枠２１に一致に形成した軸と障子３の上框３１に同じく一体に形成した軸受とを回動自在に嵌合軸支したヒンジ４を介して上吊りすることによってその開閉自在の吊支持を行ってあり，このとき自然換気窓１は，上記バランサー５１と連結アーム５３によって障子３の開閉を制御する開閉制御手段５と，夜間等に障子３を施錠する障子施錠手段６と，手の届く位置に設置した図示省略のオペレーター操作によって障子３を閉鎖方向に引き寄せるとともに障子３の施錠を行うようにこれら開閉制御手段５と障子施錠手段６とを連動する連動手段７とを備えたものとしてある。
【００１４】
本例の開閉制御手段５において，上記バランサー５１は，これを窓枠２の縦枠２２に上下方向昇降自在に配置し，また連結アーム５３は，これを該バランサー５１と障子３の縦框３３にそれぞれ長手方向端部を回動自在に軸支したものとしてある。
【００１５】
バランサー５１は，縦枠に沿って配置したバランサーブラケット５１１と該バランサーブラケット５１１に適宜枚数を積層するように固定したバランサープレート５１２とによって形成し，バランサーブラケット５１１を縦枠２３に沿って配置し，これに対するバランサープレート５１１の枚数を増減することによってその重量調整をなし得るようにしてある。
【００１６】
該バランサー５１は，上記昇降ガイド５２によって縦枠２３に沿って直進昇降するようにしてあり，このとき本例の昇降ガイド５２にあってそのガイドレール５２１は，これを縦枠３に，またスライダー５２２は，これをバランサー５１にそれぞれ配置するとともに本例の上記スライダーは，これを，ガイドレール５２１に転動自在のガイドローラーとし且つ該ガイドローラーを上記ガイドレール５２１に対して上下方向複数配置したものとしてある。
【００１７】
本例にあって縦枠２３に配置したガイドレール５２１は，例えば縦枠２３と別に押出成形したアルミ押出形材製にして断面Ｃ字状のレール溝と，縦枠固定片を備えたものとしてあり，該ガイドレール５２１は，例えば縦枠２３における障子３の縦框３３に対向する見付面に，上記縦枠固定片とレール溝の底壁をそれぞれネジ止めすることによってレール溝を連結アーム５３側に開口して上下方向に垂直に位置するように固定して，その配置を行ってあり，このとき該ガイドレール５２１はバランサー５１の昇降長さに合せてこれより幾分長めにこれを形成してある。
【００１８】
一方スライダー，本例にあってガイドローラー５２２は，バランサー５１，特にその縦枠２３側に位置するバランサーブラケット５１１の裏面，即ち縦枠２３側にその長手方向をなす上下方向に複数，特に上下を一対とするように２個配置してあり，該配置はバランサーブラケット５１１の該当位置に２箇所の透孔を設け，該透孔にガイドローラーの回転軸を挿通し表面，即ち連結アーム５３側からそれぞれ回転軸の先端に刻設した雄ネジにナットを螺装固定して，その配置を行ってある。このとき該バランサーブラケット５１１のバランサープレート５１２を設置した位置より下位にして該バランサープレート５１２と当らないようにその配置を行うとともにバランサーブラケット５１１と円弧面を平行とするように且つガイドレール５２１のレール溝と重なるようにバランサーブラケット５１１の見込面前後位置にその配置を行ってある。
【００１９】
スライダーのガイドローラー５２２は，例えば外周をガイドレール５２１のレール溝の溝壁と略同一形状にしてこれより幾分小さな円弧面とするように正面円形をなすものとしてあり，これにより該ガイドローラー５２２を，例えばガイドレール５２１の長手方向端部からそのガイド溝に挿入することによって，該ガイドローラー５２２が揺動したり，ガイドレール５２１から脱出したりすることなくガイドレール５２１の案内により上下方向に転動自在として，その上記揺動防止の保持を行ってあり，これにより該ガイドローラー５２２を介してバランサー５１，特にそのバランサーブラケット５１１を確実且つスムーズに上下方向に直進昇降するように案内するものとしてある。このとき本例にあって該バランサー５１は，ガイドレール５２１の下端に，例えば断面Ｌ字状等のストッパー５１３を配置し，該ストッパー５１３によってバランサー５１，特にそのバランサーブラケット５１１の降下位置を定めてガイドレール５２１からバランサー５１が抜け落ち状に落下するのを防止してある。
【００２０】
連結アーム５３は，障子３の縦框３３と該ガイドレール５２１によってスライダー，本例にあってガイドローラー５２２を保持したバランサー５１との間に両端を回動自在に軸支してあり，本例にあって該連結アーム５３の軸支は，上記バランサー５１が最上端まで上昇した際に，該バランサー５１に引上げられてこれと平行な状態となった際に縦枠２３に垂直に納まる長さを有するものとしてある。本例にあって該連結アーム５３は，その長手方向両端に軸支孔を透設し，障子３の傾斜開放の常態で該障子３とバランサー５１，特にバランサーブラケット５１１を連結する長さを有するバー材によるものとしてあり，このとき該連結アーム５３は，障子３においてはその室内側に突出し窓枠２に納まるように配置した縦框３３に対してその見込面の下端にアームブラケット５３１を介して，またバランサー５１においては，特にそのバランサーブラケット５１１の見込面の下端に同じくアームブラケット５３１を介してそれぞれこれらアームブラケット５３１から水平方向に突出するように固定した軸を上記軸支孔に挿通し，同じく該軸の先端に刻設した雄ネジにナットを螺装することによってその回動自在の軸支を行ってある。
【００２１】
従って本例にあって障子３が風圧抵抗を受けたとき，連結アーム５３がバランサー５１，特にそのバランサーブラケット５１の下端でこれを押上げるように作用し，該押上げられたバランサーブラケット５１１，即ちバランサー５１は，縦枠２３に配置したガイドレール５２１にそのスライダー５２２，特にガイドローラーが保持された状態で前後及び左右に揺動することなく昇降ガイド５２によるスムーズな直進上昇を可能として，障子３に対する風圧抵抗に応じた障子３の滑らかな閉鎖を行うとともに風圧抵抗がなくなり又は減少したときバランサー５１は同じくガイドレール５２１にそのスライダー５２２，即ちガイドローラーが保持された状態でその自重によって上記ストッパー５１３位置までスムーズに直進降下することによって連結アーム５３を介して障子３を傾斜開放の常態に復帰させるものとしてある。
【００２２】
このように昇降ガイド５２によって案内したバランサー５１と，障子３と該バランサー５１間に配置した連結アーム５３による本例の開閉制御手段５は，更に連動手段７によって障子施錠手段６と連動して，該開閉制御手段５による障子３の引寄せと障子施錠手段６による障子３の施錠を同時的に行うものとしてある。
【００２３】
即ち障子施錠手段６は，窓枠２の下枠２２に長手方向スライド自在に配置したスライドバー６１と障子３の下框３２にそれぞれ配置し相互に係脱自在のフック６２及び係止ピン６３とを具備したものとしてあり，また上記連動手段７は，オペレーター又はスイッチ操作，本例にあってはオペレーター操作によって上記開閉制御手段５のバランサー５１を強制上昇して障子３を引寄せるとともに障子施錠手段６のスライドバー６１を強制スライドして障子３を施錠するものとしてある。
【００２４】
本例の障子施錠手段６は，上記スライドバー６１に，例えば摩擦抵抗を減少するようにローラーボルトによる係止ピン６３を，また障子３の下框３２に該係止ピン６３を受入自在に横方向に傾斜開口したフック６２を配置し，スライドバー６１のスライドに伴って係止ピン６３が横方向に移動して下框３２のフック６２に係止することによって施錠を行う一方，係止ピン６３がフック６２から脱出することによってその開錠を行うようにしてある。
【００２５】
本例にあって該スライドバー６１と下枠２２間にダンパー又は引張バネ，本例にあってはガスダンパー６４を配置し，該ダンパー６４を開錠方向に付勢してスライドバー６１を施錠方向にスライド自在としてあり，該ダンパー６４は，スライドバー６１の長手方向一端に設置したスライドバー６１側のダンパーブラケット６４１及びこれと上記フック６２の位置を挟んだ反対側位置において下枠２２に設置した下枠２２側のダンパーブラケット６４１間に介設してスライドバー６１の施錠方向のスライドによって開錠方向の付勢力を蓄積し，開錠時に該付勢力によってスライドバー６１が開錠方向にスライドして該スライドバー６１に設置した係止ピン６３がフック６２から脱出して障子施錠装置６の自動的な開錠を行うようにしてある。
【００２６】
本例の連動手段７は，壁面の高所に設置した自然換気窓の操作を手の届く壁面位置に設置した図示省略のオペレーター又はスイッチ，本例にあってはオペレーターの操作によって上記開閉制御手段５と障子施錠手段６とを連動して作動し，開閉制御手段５のバランサー５１を強制上昇することによる障子３の閉方向への引寄せと，スライドバー６１を強制スライドして上記フック６２に係止ピン６３を係止することによる障子３の施錠とを順次段階的になし得るものとしてあり，本例にあって連動手段７は，これを，縦枠２３のバランサー５１上方位置に配置した動滑車７１３を具備した滑車装置７１と，該滑車装置７１の動滑車７１３を軸支し該動滑車７１３によって縦枠２３に昇降自在とし且つバランサー５１を強制上昇する係合支持部７２１を具備した昇降部材７２と，該昇降部材７２の係合支持部７２１に常時非係合とするように該係合支持部７２１の上方に位置して昇降部材７２の上昇によって係合支持部７２１に対接係合自在にバランサー５１に配置した被係合部７２２と，オペレーター又はスイッチ操作，本例にあってはオペレーター操作の巻上げによって引寄せ自在とし先端を上記動滑車７１３を介して滑車装置７１に固定するとともに中間をスライドバー６１に固定して滑車装置７１とスライドバー６１を連結した引張ワイヤー７６とを備えたものとしてあり，このとき本例にあって上記昇降部材７２は，該昇降部材７２と縦枠２３との間に介設した引張バネ又はダンパー，本例にあっては引張バネ７３によって縦枠２３に対する下向き付勢状態で昇降自在としてある。また本例にあって該引張ワイヤー７６は，これを，下枠２２に配置したワイヤーガイド７６１，バランサー５１設置の縦枠２２下端に配置した方向転換滑車７６２，上記スライドバー６１に固定したスライド滑車７６３，上記方向転換滑車７６２の上方近傍に配置した同じく方向転換滑車７６４，縦枠２３上端の方向転換滑車７６５，滑車装置７１の定滑車７１２，滑車装置７１の動滑車７１３を経由してオペレーター又はスイッチ側，本例にあってはオペレーター側の巻上げドラムと滑車装置７１間に配置したものとしてあり，また上記昇降部材７２は，これを上記バランサー５１と同様に，縦枠２３に設置した昇降ガイド７５によって昇降案内自在としたものとしてある。
【００２７】
滑車装置７１は，縦枠２３のバランサー５１上方位置，本例にあっては縦枠２３上端位置に設置した端部金具７１１に引張ワイヤー７６の先端を固定し，昇降部材７２の動滑車７１３及び上記端部金具７１１と同じ高さの縦枠２３上端位置に軸支固定した定滑車７１２を経由するように配置し引張ワイヤー７６の引寄せによって昇降部材７２を上昇自在としてあり，本例にあって上記昇降部材７２の係合支持部７２１は，これを昇降部材７２の下端にバランサー５１側に向けて突設したローラー，折曲片等による係合支持用の突出部とし，またバランサー５１の被係合部７２２は，これを，上記バランサーブラケット５１１の上端に昇降部材７２側に向けて同じく突設した折曲片，ローラー等による被係合用の突出部としてある。
【００２８】
従って，例えばオペレーターのロックを解除して引張ワイヤー７６をフリーとして障子３が傾斜開放の常態にあるとき，昇降部材７２はその動滑車７１３の自重で下方に降下し，上記係合支持部７２１がバランサー５１の被係合部７２２より下位に位置する結果，係合支持部７２１と被係合部７２２とは常時非係合の状態となるとともにバランサー５１も連結アーム５３が障子３側に突出するように同じく自重によって最降下した状態となり，障子３の風圧抵抗によって該バランサー５１は上昇しても降下することはないから，昇降部材７２がバランサー５１の昇降を妨害する可能性を解消するとともに引張ワイヤー７６が引寄せられることによって昇降部材７２が上昇すれば，最降下又は中間の位置を問わずにバランサー５１の被係合部７２２に昇降部材７２の係合支持部７２１が対接係合して該バランサー５１を上記昇降ガイド５２のガイドローラーとスライダー５２２，本例にあってはガイドローラーの案内によって縦枠２３上方に向けた直進上昇を行うようにしてある。
【００２９】
上記昇降部材７２と縦枠２３との間に介設した引張バネ７３は，例えばコイルスプリングを用い，昇降部材７２の下端，本例にあっては上記ローラー，折曲片等の係合支持用の突出部による係合支持部７２１と並列するようにバネ係合部７３１を突設する一方，その下方位置で縦枠２３に同じくバネ係合部７３１を配置し，これらバネ係合部７３１間に両端のフックを引掛支持することによって，これらの間に介設してあり，これによって併せて滑車装置７１の動滑車７１３を下向きに付勢し，引張ワイヤー７６に生じることある弛みを吸収して昇降部材７２を常に定位置に降下させ，昇降部材７２の降下不良に起因する係合支持部７２１と被係合部７２２の干渉とこれによるバランサー５１昇降阻害の可能性を解消するものとしてある。このとき本例にあって昇降部材７２は，縦枠２３に設置し，該昇降部材７２を定位置で下支え支持するストッパー７４を設置し，引張バネ７６の付勢力で昇降部材７２が定位置を超えて降下するのを防止し，該定位置を超えて降下することによって，例えばその係合支持部７２１がバランサー５１，特にそのバランサーブラケット５１１の被係合部７２２と衝接して衝接音を発生したりするのを防止し得るようにしてある。
【００３０】
また本例にあって昇降部材７２の昇降ガイド７５は，上記バランサーブラケット５１１における昇降ガイド５２の縦枠２３の上方位置でその見込面に同じく断面Ｃ字状のガイドレール７５１を配置するとともに昇降部材７２裏面の同じく上下複数箇所にガイドローラー７５２を配置して上記バランサー５１におけると同様に該ガイドローラー７５２をガイドレール７５１に保持して同じくその直進昇降を自在としてあり，これによって同様に，該昇降部材７２が揺動するのを確実に防止するとともに該昇降部材７２の昇降案内に伴って生じる摩擦抵抗を可及的に減少し，該昇降部材７２の上昇とこれによる障子３の引寄せをスムーズになし得るようにしてある。
【００３１】
上記オペレーター側から滑車装置に至る間に引張ワイヤー７６は，先ず上記ワイヤーガイド７６１を経由するところ，該ワイヤーガイド７６１は，起立片に透孔を透設して下枠２２に設置したＬ字状金具によるものとしてあり，該ワイヤーガイド７６１の上記透孔に引張ワイヤー７６を挿通することによって下枠２２一端における引張ワイヤー７６のスタート位置を定めるものとしてあり，ワイヤーガイド７６１に次いで引張ワイヤー７６が経由する方向転換滑車７６２は，下枠２２他端の縦枠２３内に設置した同じくＬ字状金具の起立片に軸支することによってバランサー５１設置の縦枠２３下端において上記引張ワイヤー７６の方向を１８０度転換して再度下枠２２の長手方向に沿って復帰するものとしてあり，また該方向転換滑車７６２に次いで引張ワイヤー７６が経由するスライド滑車７６３は，スライドバー６１の該方向転換滑車７６２側端部に設置した同じくＬ字状金具の起立片に軸支することによって該スライドバー６１を，本例にあって上記ダンパー６４を付勢しながら上記方向転換滑車７６２側に向けて引寄せてその強制スライドを行うものとするとともに引張ワイヤー７６の方向を同じく１８０度転換して再度上記方向転換滑車７６２側に向けるものとしてある。該スライド滑車７６３に次いで引張ワイヤー７６が経由する方向転換滑車７６４は，上記方向転換滑車７６２の上方近傍に設置した同じくＬ字状金具の起立片に軸支することによってバランサー５１設置の縦枠２２下方においてスライド滑車７６３を経由した引張ワイヤー７６の方向を９０度転換して縦枠２３上端の上記滑車装置７１における定滑車７１２に向けるものとしてあり，このとき該方向転換滑車７６４は，例えば上下に一対のものを用いてタスキ掛け状に引張ワイヤー７６を配置し，その下方の一方で方向を１３０度程度転換した後に上方の他方で再度方向を４０度程度転換しその方向を上方に向けるものとしてあり，また該方向転換滑車７６４に次いで引張ワイヤー７６が経由する方向転換滑車７６５は，縦枠２３上端に設置した，上記滑車装置７１の定滑車７１２と同高さ位置のＬ字状金具の起立片に軸支することによって上記方向転換滑車７５４からの引張ワイヤー７６の方向を９０度転換して滑車装置７１に向けるものとしてある。
【００３２】
以上のとおりに構成した本例の自然換気窓１にあっては，オペレーターを操作して連動手段７の引張ワイヤー７６を巻き取って引寄せると，該引張ワイヤー７６がその中間でスライド滑車７６３を引寄せてスライドバー６１を施錠方向に強制スライドし，ダンパー６４に開錠方向の付勢力を蓄積するとともに滑車装置７１の動滑車７１３を引上げて昇降部材７２を上昇し，該昇降部材７２の係合支持部７２１がバランサー５１，特にバランサーブラケット５１１の被係合部７２２に対接係合してバランサー５１を上記昇降ガイド５２のガイドローラーとスライダー５２２，本例にあってはガイドローラーの案内によって前後左右に揺動することなく強制的に直進上昇し，これによって連結アーム５３を回動し障子３を閉鎖方向に引寄せる一方，障子施錠装置６におけるスライドバー６１の係止ピン６３が下框３２のフック６２に係止し，障子３の引寄せと施錠をスムーズに連動して完了することができ，また逆にオペレーターのロックを解除して連動手段７の引張ワイヤー７６をフリーとすると上記ダンパー６４がスライドバー６１を逆方向にスライドして，障子施錠手段６のフック６２から係止ピン６３が脱出するとともに連動手段７の昇降部材７２が動滑車７１３の自重で降下することによってその係合支持部７２１がバランサー５１の被係合部７２２から外れて，開閉制御手段５のバランサー５１が同じく上記昇降ガイド５２のガイドレールとスライダー５２２，本例にあってはガイドローラーの案内によって同じく前後左右に揺動することなく直進降下し該バランサー５１が障子３とバランスすることによって障子３が傾斜開放の常態となるとともに障子３の風圧抵抗に応じた開閉制御手段５のスムーズな開閉制御が可能となり，自然換気窓１としてその機能を発揮できる。
【００３３】
また本例にあって昇降部材７２の昇降を引張バネ７３によって下向き付勢状態で行うことによって，引張ワイヤー７６に生じることある弛みを吸収して昇降部材７２を常に定位置に降下させ，昇降部材７２の降下不良に起因する係合支持部７２１と被係合部７２２の干渉とこれによるバランサー５１昇降阻害の可能性を解消することができ，更にバランサー５１と同様に昇降部材７２の昇降を，その裏面のガイドローラー７５２を縦枠２３に設置したガイドレール７５１に保持して案内することによって該昇降部材７２の揺動を防止してその昇降に伴う摩擦抵抗を可及的に減少し施錠時の障子３の引寄せをスムーズに行うことができる。
【００３４】
図示した例は以上のとおりとしたが，バランサーと連結アームを用いた上，上記特許文献１の特願２００４−２２８１８７号のように障子の引寄せを，例えば障子の縦框に室内側に向けてラッチを突設し，例えば縦枠上端に設置した滑車装置によってオペレーターに一端を固定して引寄せ自在とした引張ワイヤーを巻上げて昇降ピンを強制上昇させることによって，該昇降ピンで上記ラッチを押上回動して障子を窓枠側に引いて連結アームによって連結したバランサーを縦枠に沿って上昇させながら，引張ワイヤーの中間に設置してラッチの押上回動と連動するように設置した施錠装置を連動して作動させてその施錠を行うようにすること，上記スライダーを，ガイドレールに摺動自在のスラシ等の滑動ブロックによるものとすること，このとき該滑動ブロックを断面倒Ｔ字状に形成するとともに上記と同様にガイドレールを断面Ｃ字状とし，滑動ブロックをガイドレールに対して保持するように構成すること，自然換気窓を電動のものとして，上記オペレーターに代えてスイッチ操作によって上記連動手段を作動するようにすること，障子施錠装置においてフックをスライドバーに，係止ピンを下框に配置するようにすること，上記昇降部材の下向き付勢を，上記引張バネに代えてダンパー又は圧縮バネによって行うようにすること，上記スライドバーの開錠方向の付勢を，上記ダンパーに代えて引張バネ又は圧縮バネによって行うようにすること等を含めて，自然換気窓，開閉制御手段，バランサー，昇降ガイド，そのガイドレール，スライダー，連結アーム，障子施錠装置，スライドバー，フック，係止ピン，連動手段，これを作動するオペレーター，スイッチ，必要に応じて用いる連動手段の滑車装置，昇降部材，引張ワイヤー，スライド滑車，引張ワイヤーの経由配置，ダンパー乃至引張バネ，昇降ガイド等の各具体的形状，構造，材質，これらの関係，これらに対する付加等は，上記発明の要旨に反しない限り様々な形態のものとすることができる。
【図面の簡単な説明】
【００３５】
【図１】自然換気窓の設置状態を示す縦断面図である。
【図２】自然換気窓の障子を傾斜開放した状態を示す縦断面図である。
【図３】図２Ａ−Ａ線の縦枠部分の拡大横断面図である。
【図４】図２Ｂ−Ｂ線の縦枠部分の拡大横断面図である。
【図５】図２Ｃ−Ｃ線の縦枠部分の拡大横断面図である。
【図６】図２Ｄ−Ｄ線の縦枠部分の拡大横断面図である。
【図７】図２Ｅ−Ｅ線の縦枠部分の拡大横断面図である。
【図８】図２Ｆ−Ｆ線の縦枠部分の拡大横断面図である。
【図９】図２Ｇ−Ｇ線の縦枠部分の拡大横断面図である。
【図１０】自然換気窓の障子施錠状態を示す横断面図である。
【図１１】図１１Ｈ−Ｈ線の横枠部分の拡大縦断面図である。
【図１２】図１１Ｉ−Ｉ線の横枠部分の拡大縦断面図である。
【図１３】図１１Ｊ−Ｊ線の横枠部分の拡大縦断面図である。
【図１４】図１１Ｋ−Ｋ線の横枠部分の拡大縦断面図である。
【図１５】引張ワイヤーの配置状態を示す室内側における正面図である。
【符号の説明】
【００３６】
１  自然換気窓
２  窓枠
２１  上枠
２２  下枠
２３  縦枠
３  障子
３１  上框
３２  下框
３３  縦框
４  ヒンジ
５  開閉制御手段
５１  バランサー
５１１  バランサーブラケット
５１２  バランサープレート
５１３  ストッパー
５２  昇降ガイド
５２１  ガイドレール
５２２  ガイドローラー
５３  連結アーム
５３１  アームブラケット
６  障子施錠手段
６１  スライドバー
６２  フック
６３  係止ピン
６４  ダンパー
６４１  ダンパーブラケット
７  連動手段
７１  滑車装置
７１１  端部金具
７１２  定滑車
７１３  動滑車
７２  昇降部材
７２１  係合支持部
７２２  被係合部
７３  引張バネ
７３１  バネ係合部
７４  ストッパー
７５  昇降ガイド
７５１  ガイドレール
７５２  ガイドローラー
７６  引張ワイヤー
７６１  ワイヤーガイド
７６２  方向転換滑車
７６３  スライド滑車
７６４  方向転換滑車
７６５  方向転換滑車
【図１】
2007063901.tif 000003
【図２】
2007063901.tif 000004
【図３】
2007063901.tif 000005
【図４】
2007063901.tif 000006
【図５】
2007063901.tif 000007
【図６】
2007063901.tif 000008
【図７】
2007063901.tif 000009
【図８】
2007063901.tif 000010
【図９】
2007063901.tif 000011
【図１０】
2007063901.tif 000012
【図１１】
2007063901.tif 000013
【図１２】
2007063901.tif 000014
【図１３】
2007063901.tif 000015
【図１４】
2007063901.tif 000016
【図１５】
2007063901.tif 000017